【手続補正書】
【提出日】平成28年3月23日(2016.3.23)
【手続補正１】
【補正対象書類名】特許請求の範囲
【補正対象項目名】全文
【補正方法】変更
【補正の内容】
【特許請求の範囲】
【請求項１】
無線通信システムにおける送信器によりデータを送信する方法であって、
少なくとも一つのデータストリームに基づいて、複数個の物理階層パイプ（ＰＬＰ）を生成するステップと、
前記複数個のＰＬＰのうちの選択されたＰＬＰの集合を含む論理フレームの各々を構成するステップと、
前記論理フレームのうちの選択された論理フレームの集合を含む論理チャンネルの各々を構成するステップと、
少なくとも一つの物理チャンネルを通して少なくとも一つの論理チャンネルにマッピングされた物理フレームを送信するステップとを含むことを特徴とする方法。
【請求項２】
前記論理フレームの各々は、毎論理フレームごとに伝達されるシグナリング情報を含むことを特徴とする請求項１に記載の方法。
【請求項３】
前記各論理フレームに含まれる前記シグナリング情報は、一つの論理スーパーフレームの周期の間に同一に維持される構成可能な部分と、前記論理フレームの各々に対する測定情報を提供する動的な部分を含むことを特徴とする請求項２に記載の方法。
【請求項４】
前記構成可能な部分は、現在論理チャンネルの現在論理スーパーフレームに含まれた論理フレームの数と、前記現在論理スーパーフレームに含まれた各論理フレームのＰＬＰのセルサイズを指示するフィールド、前記現在論理フレームの第１の論理フレームのインデックスを指示するフィールド、前記現在論理スーパーフレーム内で該当ＰＬＰのセルを伝達する２個の論理フレーム間に位置した論理フレームの数を指示するフィールドのうちの少なくとも一つを含むことを特徴とする請求項３に記載の方法。
【請求項５】
前記各物理フレームは、毎物理フレームで伝送されるシグナリング情報と少なくとも一つの論理フレームのセルを含むことを特徴とする請求項１に記載の方法。
【請求項６】
前記各物理フレームに含まれるシグナリング情報は、受信器によって接続される少なくとも一つのＰＬＰを含む論理フレームのシグナリング情報を復号及び受信するために要求される情報を含むことを特徴とする請求項５に記載の方法。
【請求項７】
前記各物理フレームに含まれるシグナリング情報は、前記シグナリング情報を伝達する最後のセルと前記現在の物理フレームで開始する第１の論理フレームの第１のセルとの間のセルでギャップを指示するフィールドと、前記現在の物理フレームで伝達される論理チャンネルのグループの識別子と、前記現在物理フレームで伝達される論理チャンネルの識別子、前記現在の物理フレームと現在論理チャンネルを伝達する次の物理フレームとの間の相対的タイミングを指示するフィールドのうちの少なくとも一つを含むことを特徴とする請求項６に記載の方法。
【請求項８】
無線通信システムにおける受信器によりデータを受信する方法であって、
少なくとも一つの物理チャンネルを通して少なくとも一つの論理チャンネルにマッピングされた物理フレームを受信するステップと、
複数個の論理フレームのうちの選択された論理フレームの集合を含む各論理チャンネルを獲得するステップと、
前記各論理フレームは、少なくとも一つのサービスのデータストリームに基づいて生成された複数個の物理階層パイプ（ＰＬＰ）のうちの選択されたＰＬＰの集合を含むことを特徴とする方法。
【請求項９】
前記各論理フレームで伝達されるシグナリング情報を獲得するステップをさらに含むことを特徴とする請求項８に記載の方法。
【請求項１０】
前記各論理フレームに含まれる前記シグナリング情報は、一つの論理スーパーフレームの周期の間に同一に維持される構成可能な部分と、前記論理フレームの各々に対する測定情報を提供する動的な部分を含むことを特徴とする請求項８に記載の方法。
【請求項１１】
前記構成可能な部分は、現在論理チャンネルの現在論理スーパーフレームに含まれた論理フレームの数と、前記現在論理スーパーフレームに含まれた各論理フレームのＰＬＰのセルサイズを指示するフィールド、前記現在論理フレームの第１の論理フレームのインデックスを指示するフィールド、前記現在論理スーパーフレーム内で該当ＰＬＰのセルを伝達する２個の論理フレーム間に位置した論理フレームの数を指示するフィールドのうちの少なくとも一つを含むことを特徴とする請求項１０に記載の方法。
【請求項１２】
前記各物理フレームは、毎物理フレームで伝送されるシグナリング情報と少なくとも一つの論理フレームのセルを含むことを特徴とする請求項８に記載の方法。
【請求項１３】
前記各物理フレームに含まれるシグナリング情報は、受信器によって接続される少なくとも一つのＰＬＰを含む論理フレームのシグナリング情報を復号及び受信するために要求される情報を含むことを特徴とする請求項１２に記載の方法。
【請求項１４】
前記各物理フレームに含まれるシグナリング情報は、前記シグナリング情報を伝達する最後のセルと前記現在の物理フレームで開始する第１の論理フレームの第１のセルとの間のセルでギャップを指示するフィールドと、前記現在の物理フレームで伝達される論理チャンネルのグループの識別子と、前記現在物理フレームで伝達される論理チャンネルの識別子、前記現在の物理フレームと現在論理チャンネルを伝達する次の物理フレームとの間の相対的タイミングを指示するフィールドのうちの少なくとも一つを含むことを特徴とする請求項１３に記載の方法。
【請求項１５】
無線通信システムにおける送信器によりデータを送信する装置であって、
少なくとも一つのデータストリームに基づいて複数個の物理階層パイプ（ＰＬＰ）を生成し、前記複数個のＰＬＰのうちの選択されたＰＬＰの集合を含む論理フレームの各々を構成し、前記論理フレームのうちの選択された論理フレームの集合を含む論理チャンネルの各々を構成する制御器と、
少なくとも一つの物理チャンネルを通して少なくとも一つの論理チャンネルにマッピングされた物理フレームを送信する送受信器と、を含むことを特徴とする装置。
【請求項１６】
前記論理フレームの各々は、毎論理フレームごとに伝達されるシグナリング情報を含むことを特徴とする請求項１５に記載の装置。
【請求項１７】
前記各論理フレームに含まれる前記シグナリング情報は、一つの論理スーパーフレームの周期の間に同一に維持される構成可能な部分と、前記論理フレームの各々に対する測定情報を提供する動的な部分を含むことを特徴とする請求項１６に記載の装置。
【請求項１８】
前記構成可能な部分は、現在論理チャンネルの現在論理スーパーフレームに含まれた論理フレームの数と、前記現在論理スーパーフレームに含まれた各論理フレームのＰＬＰのセルサイズを指示するフィールド、前記現在論理フレームの第１の論理フレームのインデックスを指示するフィールド、前記現在論理スーパーフレーム内で該当ＰＬＰのセルを伝達する２個の論理フレーム間に位置した論理フレームの数を指示するフィールドのうちの少なくとも一つを含むことを特徴とする請求項１７に記載の装置。
【請求項１９】
前記各物理フレームは、毎物理フレームで伝送されるシグナリング情報と少なくとも一つの論理フレームのセルを含むことを特徴とする請求項１５に記載の装置。
【請求項２０】
前記各物理フレームに含まれるシグナリング情報は、受信器によって接続される少なくとも一つのＰＬＰを含む論理フレームのシグナリング情報を復号及び受信するために要求される情報を含むことを特徴とする請求項１９に記載の装置。
【請求項２１】
前記各物理フレームに含まれるシグナリング情報は、前記シグナリング情報を伝達する最後のセルと前記現在の物理フレームで開始する第１の論理フレームの第１のセルとの間のセルでギャップを指示するフィールドと、前記現在の物理フレームで伝達される論理チャンネルのグループの識別子と、前記現在物理フレームで伝達される論理チャンネルの識別子、前記現在の物理フレームと現在論理チャンネルを伝達する次の物理フレームとの間の相対的タイミングを指示するフィールドのうちの少なくとも一つを含むことを特徴とする請求項２０に記載の装置。
【請求項２２】
無線通信システムにおける受信器によりデータを受信する装置であって、
少なくとも一つの物理チャンネルを通して少なくとも一つの論理チャンネルにマッピングされた物理フレームを受信する送受信器と、
複数個の論理フレームのうちの選択された論理フレームの集合を含む各論理チャンネルを獲得する制御器と、を含み、
前記各論理フレームは、少なくとも一つのサービスのデータストリームに基づいて生成された複数個の物理階層パイプ（ＰＬＰ）のうちの選択されたＰＬＰの集合を含むことを特徴とする装置。
【請求項２３】
前記制御器は、前記各論理フレームで伝達されるシグナリング情報を獲得することを特徴とする請求項２２に記載の装置。
【請求項２４】
前記各論理フレームに含まれる前記シグナリング情報は、一つの論理スーパーフレームの周期の間に同一に維持される構成可能な部分と、前記論理フレームの各々に対する測定情報を提供する動的な部分を含むことを特徴とする請求項２２に記載の装置。
【請求項２５】
前記構成可能な部分は、現在論理チャンネルの現在論理スーパーフレームに含まれた論理フレームの数と、前記現在論理スーパーフレームに含まれた各論理フレームのＰＬＰのセルサイズを指示するフィールド、前記現在論理フレームの第１の論理フレームのインデックスを指示するフィールド、前記現在論理スーパーフレーム内で該当ＰＬＰのセルを伝達する２個の論理フレーム間に位置した論理フレームの数を指示するフィールドのうちの少なくとも一つを含むことを特徴とする請求項２４に記載の装置。
【請求項２６】
前記各物理フレームは、毎物理フレームで伝送されるシグナリング情報と少なくとも一つの論理フレームのセルを含むことを特徴とする請求項２２に記載の装置。
【請求項２７】
前記各物理フレームに含まれるシグナリング情報は、受信器によって接続される少なくとも一つのＰＬＰを含む論理フレームのシグナリング情報を復号及び受信するために要求される情報を含むことを特徴とする請求項２６に記載の装置。
【請求項２８】
前記各物理フレームに含まれるシグナリング情報は、前記シグナリング情報を伝達する最後のセルと前記現在の物理フレームで開始する第１の論理フレームの第１のセルとの間のセルでギャップを指示するフィールドと、前記現在の物理フレームで伝達される論理チャンネルのグループの識別子と、前記現在物理フレームで伝達される論理チャンネルの識別子、前記現在の物理フレームと現在論理チャンネルを伝達する次の物理フレームとの間の相対的タイミングを指示するフィールドのうちの少なくとも一つを含むことを特徴とする請求項２７に記載の装置。